(57)【要約】【課題】本願記載の発明の課題は、リンパ液の流れを活性化することで、太りやすくなる、痩せにくくなる、といったダイエットの大敵となるものの他、むくみ・肌トラブル・疲労が抜けにくい、などなど体に多くの悪影響を排除し、体の老廃物を取り除く作用、細菌を退治し、体の健康、若さを保つことである。【解決手段】シート状の基材と、シート状の基材に配置された複数の柔軟なライン状のヒータと、基材の端部に位置する保持部と、ヒータに電気を供給する電池と、を含むヘルスケア着圧器具であり、ヘルスケア着圧器具は、人体の表面を覆い、ライン状のヒータが、人体のリンパ管の上方に、平行に配置されたヘルスケア着圧器具を用いる。また、上記ライン状のヒータは、基材の人体側に配置され、ライン状のヒータの部分は、基材中の他の部分より、人体のリンパ管に押し付けられる上記ヘルスケア着圧器具を用いる。【選択図】図１
2015188724.tif 000002
【特許請求の範囲】
【請求項１】
シート状の基材と、
前記シート状の基材に配置された複数の柔軟なライン状のヒータと、
前記基材の端部に位置する保持部と、
前記ヒータに電気を供給する電源装置と、を含むヘルスケア着圧器具であり、
前記ヘルスケア着圧器具は、人体の表面を覆い、
前記ライン状のヒータが、前記人体のリンパ管の上方に、平行に配置されたヘルスケア着圧器具。
【請求項２】
前記ライン状のヒータは、前記基材の前記人体側に配置され、
前記ライン状のヒータの部分は、前記基材中の他の部分より、前記人体の前記リンパ管に押し付けられる請求項１記載のヘルスケア着圧器具。
【請求項３】
前記基材は、前記ライン状のヒータを保持する開口を有する請求項１または２記載のヘルスケア着圧器具。
【請求項４】
前記基材は、前記ライン状のヒータの配置された第１部と、前記ライン状のヒータが配置された第２部とを含み、前記第１部と前記第２部との間に、開口部、または、切り欠き部を設けた請求項１〜３のいずれか１項に記載あれたヘルスケア着圧器具。
【請求項５】
前記基材は、開口部を有し、前記開口部に前記ライン状のヒータを保持する請求項１〜４のいずれか１項に記載あれたヘルスケア着圧器具。
【請求項６】
前記ライン状のヒータと前記基材間に、さらに、支持材を有し、
前記支持材に前記ライン状のヒータが配置され、
前記基材と前記支持材とは積層された請求項１から５のいずれか１項に記載のヘルスケア着圧器具。
【発明の詳細な説明】
【技術分野】
【０００１】
本発明は、ヘルスケア着圧器具とその使用方法に関する。特に、ヘルスケアを含むヘルスケア用の圧着器具に関する。
【背景技術】
【０００２】
従来のヘルスケア着圧用具は、ほとんどが、単に、頭や手足を締め付けたり、温めたり、冷やしたりするものであった。身体の特徴を活かしたヘルスケア着圧用具は、少なかった。そのため、身体を利用した格別の効果が生じるヘルスケア着圧用具は、少なかった。以下２件に、身体に存在するリンパ液を利用するものがある。
【０００３】
ここで、リンパ液は、体内の不要なものを体外に運ぶ役割がある。このリンパの流れが滞ってしまうと、老廃物や毒素などの不要なものを排出しづらくなり、様々な体の不調につながる。太りやすくなる、痩せにくくなる、といったダイエットの大敵となるものの他、むくみ・肌トラブル・疲労が抜けにくい、などなど体に多くの悪影響を及ぼし、体の老廃物を取り除く作用、細菌を退治する作用がある。そのため、リンパ液は、体の健康、若さを保つ働きある。
しかし、リンパ液の循環には、血液のような循環させるホンプ（心臓）がない事、リンパは皮膚の表面より近い位置に存在する事により簡単なマッサージでもリンパの流れを改善することができる。また、リンパ液は、体の中を循環する速度が非常に遅い。
【０００４】
特許文献１では、顔に存在するリンパ管のつぼを指圧するヘルスケアマスクが開示されている。リンパ管を指圧することでリンパ液を流し、活性化するものである。特許文献２では、目のまわりを冷やすヘルスケアマスクである。リンパ管を含んでリンパ液冷やし、リンパ液の流れをよくするものである。
【先行技術文献】
【特許文献】
【０００５】
【特許文献１】特開２００３−１１６９５７号公報
【特許文献２】特開２００２−３０３４７１号公報
【発明の概要】
【発明が解決しようとする課題】
【０００６】
しかし、特許文献１では、単に、人が、ヘルスケアマスクについているマークを目印に、リンパ管のつぼを点として押すだけであった。そのため、十分にリンパ液を利用できていない。
特許文献２では、単に、リンパ管を含む全体を冷やすだけであり、十分にリンパ液を利用していない。
【０００７】
本願の目的は、リンパ液の流れを活性化することで、太りやすくなる、痩せにくくなる、といったダイエットの大敵となるものの他、むくみ・肌トラブル・疲労が抜けにくい、などなど体に多くの悪影響を排除し、体の老廃物を取り除く作用、細菌を退治し、ヘルスケアすることである。
【課題を解決するための手段】
【０００８】
上記問題を解決するために、シート状の基材と、シート状の基材に配置された複数の柔軟なライン状のヒータと、基材の端部に位置する保持部と、ヒータに電気を供給する電池と、を含むヘルスケア圧着器具であり、ヘルスケア着圧器具は、人体の表面を覆い、ライン状のヒータが、人体のリンパ管の上方に、平行に配置されたヘルスケア着圧器具を用いる。
【発明の効果】
【０００９】
本願発明のヘルスケア着圧器具では、この器具を身体に着圧するだけで、リンパ管が加熱加圧され、リンパ液の循環が促進され、体の老廃物を取り除く作用や細菌を退治し、体の健康、若さを保つ事となる。
【図面の簡単な説明】
【００１０】
【図１】実施の形態１のヘルスケア着圧器具を顔に巻いた斜視図
【図２】（ａ）実施の形態１のヘルスケア着圧器具の裏面の平面図、（ｂ）（ａ）の断面図、（ｃ）（ａ）のヒータ部分の平面図
【図３】（ａ）図１でのヒータとリンパ管の配置を示す図、（ｂ）（ａ）の断面を示す図
【図４】（ａ）〜（ｃ）実施の形態１のヘルスケア着圧器具の変形例を示す図
【図５】（ａ）〜（ｄ）実施の形態１のヘルスケア着圧器具の基材の変形例を示す図
【図６】（ａ）〜（ｂ）実施の形態１のヘルスケア着圧器具の電池の配置を説明する図
【図７】実施の形態２のヘルスケア着圧器具を足に応用した例を示す図
【図８】実施の形態３のヘルスケア着圧器具を腕に応用した例を示す図
【発明を実施するための形態】
【００１１】
（実施の形態１）
図１は、実施の形態１のヘルスケア着圧用具であるヘルスケアマスク１００を、人が付けている状態を示す。ヘルスケアマスク１００は、頬、あごをマスクのように覆っている。耳を利用してヘルスケアマスク１００を保持している。
【００１２】
図２（ａ）に、このヘルスケアマスク１００の内部の配線などの透視平面図を示す。
＜構成＞
ヘルスケアマスク１００は、ヒータ１１、基材１５、配線１２、電源装置１３、保持部１６とからなる。
【００１３】
ヒータ１１としては、顔に無理なくそうように、柔軟なライン状のヒータを用いる。特に、マイクロカーボンヒーターを使用できる。マイクロカーボンヒータは、柔軟なカーボンの繊維が束になったものに電圧をかけて、発熱するタイプのヒータである。繊維径は１ｍｍ以下がよい。なぜなら、顔に、沿いやすいからである。抵抗率、柔軟性の観点からマイクロカーボンヒータがよい。
【００１４】
基材１５は、繊維からなり、伸縮できる。靴下などの素材でできている。繊維として、綿、アクリル、ナイロン、ポリウレタンが利用できる。さらに、ポリウレタン系繊維、ポリエーテル・エステル系繊維など弾性があるものが利用できる。
保持部１６は、この例では、耳にひっかけるようにリング状になっている。保持部１６には、ヒータ１１に電気を送る配線１２がある。
【００１５】
電源装置１３は、ヒータ１１に電気を供給するものである。充電、交換できるリチウム電池などを使用できる。小型の充電式リチウム電池を使用できる。図示していないが、ソケットなどで電源装置１３は簡単に着脱できる。保持部１６に電源装置１３をセットできるようになっている。利用者がコンセントなど気にせずに使用できるように電源装置１３を使用する。また、ヒータ１１による発熱も電源装置１３の場合、電池容量の大きさから異常に高温度とはならない。
＜ヒータ１１の配線＞
図２（ｂ）は、ヘルスケアマスク１００の断面図である。基材１５の上に複数のヒータ１１が、ある間隔で配置されている。
【００１６】
図２（ｃ）は、ヒータ１１の平面図を示す。ヒータ線２６と配線１２とを含む。
図３（ａ）、図３（ｂ）で、ヒータ１１の配置と効果を説明する。図３（ａ）は、顔にヘルスケアマスク１００を着けた斜視図である。図１と異なり、裏面側に位置するヒータ１１を実線で示す。また、顔に存在するリンパ管１０１の位置を点線で示している。ヒータ１１（実線）は、リンパ管１０１（点線）に平行に配置されている。
【００１７】
この場合の断面図を、図３（ｂ）に示す。ヒータ１１は、ヘルスケアマスク１００の裏面の顔１０２側に位置する。ヒータ１１部分が飛び出している。このことで、ヘルスケアマスク１００の基材１５からヒータ１１へ圧力が加わる。結果、顔１０２の表面をヒータ１１で押すこととなる。
基材１５は、ヒータ１１より伸び、ヒータ１１部分が伸びないことで、その部分の厚みが相対的に増して、相対的に顔へ押し付けられる。
【００１８】
さらに、ヘルスケアマスク１００は、向かって左側の第１基材部３１と右側の第２基材部３２と別れ、顔に沿うようにできている。
それぞれにヒータ１１が複数配置されている。中央部分に、ヒータ１１などがなく、中央部分で折れやすくなっている。中央部に位置する口、鼻に影響なく、顔にヘルスケアマスク１００が沿う。
【００１９】
＜使用方法＞
人がヘルスケアマスク１００を、図３（ａ）のように付ける。電源を入れ、電源装置１３によりヒータ１１が温められると、その下部のリンパ管１０１が温められる。結果、リンパ管１０１内のリンパ液が温められ、リンパ液の移動がはじまり、リンパ液の循環が促進され、体の老廃物を取り除かれる。
【００２０】
＜温度制御＞
ヒータ１１の温度が上がりすぎるとよくない。そこで、一定温度以上となった場合に、電気供給を中止する。各種サーモスタッドが利用できる。バイメタルや形状記憶合金、サーミスタなどを利用できる。または、ヒータ１１の容量（抵抗値）により、電流値を抑え、一定温度以上にならないようにもできる。
【００２１】
＜ヘルスケアマスクの変形例＞
図４（ａ）〜図４（ｃ）で、ヘルスケアマスク１００の別の形態を示す。
図４（ａ）では、ヘルスケアマスク１００の中央に切り欠き１９、開口１７を設けている。
【００２２】
開口１７は、人の口に相当する部分である。ヘルスケアマスク１００を顔につけた時に、口から息ができるように設ける。長時間、ヘルスケアマスク１００を使用できるように設ける。
切り欠き１９は、鼻に相当する部分である。ヘルスケアマスク１００の位置を上方へ移動できる。また、開口１７、切り欠き１９により、ヘルスケアマスク１００が、中央を境に、左右で変形しやすくなる。結果、ヘルスケアマスク１００が顔によりフィットする。
【００２３】
図４（ｂ）では、ヒータ１１の形状を変えている。中央で広く、端部で狭くしている。このことで、ヒータ１１は、位置づれがあっても、鼻付近のリンパ管１０１上に位置する確率が高くなり、リンパ液を温めやすくなる。そして、温められた液が、端部へ流れやすくなる。端部では、ヒータ１１とリンパ管１０１の位置がずれ、ヒータ１１によりリンパ管の温めが弱くとも、鼻付近で温められたリンパ液により、端部のリンパ液も温められる。
【００２４】
また、図４（ｂ）では、中央に伸縮部２０を設けている。この伸縮部２０は、他の基材１５より伸びやすく、変形しやすい。結果、伸縮部２０によりヘルスケアマスク１００が、変形しやすくなる。結果、ヘルスケアマスク１００は、左右で顔にフィットする。
伸縮部２０として、別の素材を使用しなくとも、素材を薄くする、素材の使用量を他の部分より少なくすることで伸びるようにできる。
ヒータ１１の配置が均等であるが、下側に多くする方がよい。顎のところにリンパ管が多く分布するためである。すなわち、リンパ管の数、密度に応じて、ヒータ１１の数、密度を多く配置するのが好ましい。
さらに、図４（ｃ）では、ヘルスケアマスク１００が立体マスクとなっている。最初から立体的である方が、顔につけやすく、沿いやすい。その他、上記実施の形態と同じである。
＜基材１５の変形例＞
図５（ａ）〜図５（ｄ）に、ヘルスケアマスク１００の変形例を断面図で示す。特に、基材１５とヒータ１１に関する変形例である。
【００２５】
図５（ａ）は、上記の例で示した。ヘルスケアマスク１００の断面図である。比較のため載せている。ヒータ１１が均等に配置されている。
【００２６】
図５（ｂ）は、支持材２５にヒータ１１を配置し、それを基材１５に付けたものである。基材１５と分離することで、基材１５を洗浄できる。
図５（ｃ）は、基材１５に開口１８を設けたものである。この開口１８にヒータ１１を入れる。ヒータ１１を抜くと、ヘルスケア圧着器具が洗浄しやすい。
【００２７】
図５（ｄ）は、基材１５に加圧部２１と伸び部２２を設けたものである。ヒータ１１の下部に加圧部２１を設け、ヒータ１１間の部分は伸び部２２とする。ヒータ１１の下部である加圧部２１は、伸びないことで、厚みが相対的に増し、顔へ加圧される。結果、顔に押し付けられ、リンパ管１０１が加熱加圧する。
【００２８】
伸び部２２は、上記基材１５の繊維が利用できる。加圧部２１は、伸び部２２の繊維より伸びない繊維、ナイロン繊維などが利用できる。
また、伸び部２２と、加圧部２１とを設けるために、両部で編み方を変えてもよい。加圧部２１が、伸び部２２より繊維密度を多くしてもよい。
【００２９】
また、伸び部２２と、加圧部２１とで、厚みを変えて、加圧部２１が、伸び部２２より厚みを大きくしてもよい。
＜電池の位置＞
図６（ａ）、図６（ｂ）で、電源装置１３の配置の例を示す。
【００３０】
図６（ａ）は、電源装置１３を端部にある保持部１６に設置したものである。保持部１６は、耳にかけられ、電源装置１３は、耳の裏側に位置する。
このことで、相対的に重い電源装置１３をしっかりと耳で保持できる。
【００３１】
また、電源装置１３を利用して保持部１６を耳にかけやすくできる。
さらに、電源装置１３は、使用によりそれ自体温かくなる。結果、リンパ管が集中する耳付近をあたため、リンパ液の流れを良くする。
ただし、電源装置１３の位置は上記に限定させず、例えば、保持部１６に位置させず、別途、電気線で伸ばし、衣服に固定してもよい。ポケットなどに入れてもよい。
【００３２】
図６（ｂ）では、ヘルスケアマスク１００をリング状にし、頭をその内側へはめ込む。後頭部の首の上部に電源装置１３が配置する。
このことで、相対的に重い電源装置１３をしっかりと首で保持できる。
【００３３】
さらに、電源装置１３は、使用によりそれ自体温かくなる。結果、リンパ管が集中する首付近をあたため、リンパ液の流れを良くする。
ただし、電源装置１３の位置は上記に限定させず、例えば、保持部１６に位置させず、別途、電気線で伸ばし、衣服に固定してもよい。ポケットなどに入れてもよい。
（実施の形態２）＜足への応用＞
実施の形態１のヘルスケア圧着器具（ヘルスケア圧着マスク）を脚５６へ応用した例を図７の斜視図に示す。実施の形態１と同様の部分は説明を省略する。
【００３４】
脚５６のリンパ管に沿って、ヒータ１１が配置されている。後脚では、ヒータ１１は、上下方向に配置される。後脚では、ヒータ１１は、垂直方向にリンパ管が存在し、それに応じてヒータ１１が配置されている。ヘルスケア圧着器具はシート状で脚５６の周りに巻かれ、連結部２３であるファスナー、ボタンなどでヘルスケア圧着器具の両端部が連結される。
電源装置１３は、足５５の甲と脚５６の間の保持部１６に設けられる。障害なく、しっかり電源装置１３を保持できる。
【００３５】
なお、実施の形態１のヘルスケア圧着器具の構造のもの用いて、人体の脚５６に巻いてもよい。一部、リンパ管の方向が異なり効果は落ちるが、一定の効果はある。
太ももへ応用する場合も同様にリンパ管の方向に平行にヒータ１１の配置を合わせる。
（実施の形態３）＜腕への応用＞
実施の形態１のヘルスケア圧着器具（ヘルスケア圧着マスク）を腕へ応用した例を図８の斜視図に示す。実施の形態１と同様の部分は説明しない。
【００３６】
腕のリンパ管に沿って、ヒータ１１が配置されている。連結部２３はファスナーなど使用できる。電源装置１３は、端部の保持部１６に保持され、関節部分に配置される。障害なく、しっかり電源装置１３を保持できる。
【００３７】
（なお書き）
なお、ヘルスケアには、美容用を含む。その他の部位として、首巻き、腹巻、腰巻きへも使用できる。首巻き、腹巻の場合、上下方向に沿ってヒータ１１が配置される。
上記の実施の形態は、それぞれ組み合わせることができる。一般家庭だけでなく、ヘルスケアサロン、病院など外部のショップ、施設でも利用できる。
【００３８】
図５（ｂ）で示した基材１５と支持部２５との脱着を容易にして、ヒータ１１の方向を任意に変更できるようにし、リンパ管と平行に配置できるようにすると、さらによい。
【産業上の利用可能性】
【００３９】
美容用を含み、ヘルスケア用器具として、色々な分野で使用できる。ヘルスケア室、サウナ、エステ、病院、診療所など業務用としても使用できる。
【符号の説明】
【００４０】
１１  ヒータ
１２  配線
１３  電源装置
１５  基材
１６  保持部
１７  開口
１８  開口
１９  切り欠き
２０  伸縮部
２１  加圧部
２２  伸び部
２３  連結部
２５  支持材
３１  第１基材部
３２  第２基材部
５５  足
５６  脚
１００  ヘルスケアマスク
１０１  リンパ管
１０２  顔
【図１】
2015188724.tif 000003
【図２】
2015188724.tif 000004
【図３】
2015188724.tif 000005
【図４】
2015188724.tif 000006
【図５】
2015188724.tif 000007
【図６】
2015188724.tif 000008
【図７】
2015188724.tif 000009
【図８】
2015188724.tif 000010